(57)【要約】【課題】濃縮塩水等を外部に排出することなく、造水効率を高める。【解決手段】ドロー溶液である塩水を蒸発濃縮させて濃縮塩水及び凝縮水を生成する蒸発装置２と、正浸透膜３ａによって仕切られる第１室３ｂに、蒸発装置２からの濃縮塩水を供給する一方、第２室３ｃに、塩化ナトリウム濃度の低い希釈水を供給し、第１室３ｂの濃縮塩水を、正浸透膜３ａを透過した透過水によって希釈増量し、この希釈増量された濃縮塩水を、逆浸透膜装置４によって、透過水と濃縮塩水とに分離し、分離した濃縮塩水を、ドロー溶液として蒸発装置２に還流するようにしている。【選択図】図１
2015150553.tif 000002
【特許請求の範囲】
【請求項１】
被処理溶液であるドロー溶液を蒸発濃縮させると共に、発生した水蒸気を凝縮させることにより濃縮ドロー溶液及び凝縮水を生成する蒸発装置と、
正浸透膜によって仕切られる第１室及び第２室を有し、前記第１室に、前記蒸発装置からの前記濃縮ドロー溶液が供給される一方、前記第２室に、前記第１室の前記濃縮ドロー溶液よりも浸透圧の低い希釈水が供給され、前記第２室から前記正浸透膜を透過した透過水によって前記第１室の濃縮ドロー溶液を希釈する正浸透膜処理手段と、
前記正浸透膜処理手段の前記第１室から供給される、希釈された前記濃縮ドロー溶液を、逆浸透膜によって、透過水と濃縮ドロー溶液とに分離する逆浸透膜処理手段とを備え、
前記逆浸透膜処理手段によって分離された前記濃縮ドロー溶液を、前記被処理溶液として前記蒸発装置に還流させる、
ことを特徴とする造水装置。
【請求項２】
前記ドロー溶液が、塩化ナトリウムを含む溶液であり、前記希釈水が、海水である、
請求項１に記載の造水装置。
【請求項３】
前記ドロー溶液が、食塩水である、
請求項１または２に記載の造水装置。
【請求項４】
前記蒸発装置、前記正浸透膜処理手段、及び、前記逆浸透膜処理手段を流通する濃縮ドロー溶液の流通管路には、前記濃縮ドロー溶液の一部を排出する排出管路が連結される一方、前記流通管路へドロー溶液を補給する補給管路が連結される、
請求項２または３に記載の造水装置。
【請求項５】
前記補給管路を介して食塩水が、前記流通管路へ補給される、
請求項４に記載の造水装置。
【請求項６】
前記補給管路を介してナノ濾過膜処理手段によって、スケール成分が除去された海水が、前記流通管路へ補給される、
請求項４に記載の造水装置。
【請求項７】
前記蒸発装置の駆動蒸気として、発電設備で生成される蒸気を導入する、
請求項１ないし６のいずれかに記載の造水装置。
【請求項８】
前記発電設備が、太陽熱発電設備であって、前記蒸発装置の駆動蒸気として、太陽熱発電設備の蒸気タービンから排出される蒸気を導入する、
請求項７に記載の造水装置。
【請求項９】
蒸発装置で被処理溶液であるドロー溶液を蒸発濃縮して濃縮ドロー溶液を生成する濃縮ドロー溶液生成ステップと、
前記蒸発濃縮によって発生した水蒸気を凝縮することにより凝縮水を生成する凝縮水生成ステップと、
前記蒸発装置で生成された濃縮ドロー溶液を、正浸透膜を透過した透過水によって希釈する希釈ステップと、
希釈された濃縮ドロー溶液を、逆浸透膜によって透過水と濃縮ドロー溶液とに分離する分離ステップと、
前記逆浸透膜によって分離された濃縮ドロー溶液を、前記蒸発装置に前記被処理溶液として還流させる還流ステップと、
を備えることを特徴とする造水方法。
【発明の詳細な説明】
【技術分野】
【０００１】
本発明は、造水装置及び造水方法に関する。
【背景技術】
【０００２】
従来、海水から飲料用水を生成する造水方法として、海水を蒸発させて淡水を生成する蒸留法や、逆浸透膜を透過させて淡水を生成する逆浸透膜法があるが、淡水を生成する過程で必然的に濃縮海水が発生する。
【０００３】
この生成された濃縮海水を、そのまま放流すると、塩分濃度が高いために、放流される海域の塩分濃度が高まり生態系に悪影響を与えるおそれがあった。
【０００４】
このため、例えば特許文献１の造水装置では、塩化ナトリウムを含む被処理水を蒸発濃縮させると共に、発生した水蒸気を凝縮させることにより濃縮塩水及び凝縮水を生成する蒸発装置と、この蒸発装置で生成された濃縮塩水及び当該濃縮塩水よりも塩化ナトリウム濃度の低い希釈水が導かれる半透膜透過器と、希釈水からの水によって希釈された濃縮塩水を、蒸発装置に被処理水として還流させる還流手段とを備え、濃縮塩水を還流させることによって、外部に排出しないようにしている。
【先行技術文献】
【特許文献】
【０００５】
【特許文献１】特開２００８−３０７４４７号公報
【発明の概要】
【発明が解決しようとする課題】
【０００６】
上記特許文献１の半透膜透過器では、蒸発装置で生成された濃縮塩水が有する正浸透圧エネルギーによって、希釈水の水を吸引して濃縮塩水の水量を増加させてその塩分濃度を低下させるので、蒸発装置では、濃縮塩水を高い濃度まで蒸発濃縮して正浸透圧エネルギーの高い濃縮塩水として半透膜透過器に供給する必要がある。
【０００７】
しかしながら、半透膜透過器によって希釈されて塩分濃度が低下した塩水を、蒸発装置によって正浸透圧エネルギーの高い高濃度まで蒸発濃縮するためには、蒸発装置で消費する蒸気量が多量となり、蒸発装置でのエネルギー消費が大きくなって、造水効率が低下するいう課題がある。
【０００８】
本発明は、上述のような点に鑑みてなされたものであって、濃縮塩水等を外部に排出することなく、造水効率を高めることを目的とする。
【課題を解決するための手段】
【０００９】
上記目的を達成するために、本発明では次のように構成している。
【００１０】
（１）本発明の造水装置は、被処理溶液であるドロー溶液を蒸発濃縮させると共に、発生した水蒸気を凝縮させることにより濃縮ドロー溶液及び凝縮水を生成する蒸発装置と、
正浸透膜によって仕切られる第１室及び第２室を有し、前記第１室に、前記蒸発装置からの前記濃縮ドロー溶液が供給される一方、前記第２室に、前記第１室の前記濃縮ドロー溶液よりも浸透圧の低い希釈水が供給され、前記第２室から前記正浸透膜を透過した透過水によって前記第１室の濃縮ドロー溶液を希釈する正浸透膜処理手段と、
前記正浸透膜処理手段の前記第１室から供給される、希釈された前記濃縮ドロー溶液を、逆浸透膜によって、透過水と濃縮ドロー溶液とに分離する逆浸透膜処理手段とを備え、
前記逆浸透膜処理手段によって分離された前記濃縮ドロー溶液を、前記被処理溶液として前記蒸発装置に還流させるようにしている。
【００１１】
本発明によると、蒸発装置で濃縮された濃縮ドロー溶液を正浸透膜処理手段によって希釈増量した後、逆浸透膜処理手段によって濃縮し、この濃縮された濃縮ドロー溶液を、蒸発装置に被処理溶液として還流して繰返し利用するので、蒸発装置や逆浸透膜処理手段で生成された濃縮ドロー溶液を、外部、例えば海に放流して廃棄することなく、蒸発装置からの凝縮水及び逆浸透膜処理手段からの透過水として飲料用等の淡水を製造することが可能になる。
【００１２】
しかも、蒸発装置では、逆浸透膜処理手段によって、濃縮された高濃度の濃縮ドロー溶液を蒸発濃縮するので、正浸透膜処理手段で希釈された濃縮ドロー溶液をそのまま蒸発濃縮するの比べて、蒸発装置で消費する蒸気量を大幅に低減することが可能となり、逆浸透膜処理手段による電力消費が生じるものの、全体としてのエネルギー消費を低減することができ、造水効率を高めることができる。
【００１３】
（２）本発明の好ましい実施態様では、前記ドロー溶液が、塩化ナトリウムを含む溶液であり、前記希釈水が、海水である。
【００１４】
この実施態様によると、正浸透膜処理手段では、第２室に供給される希釈水としての海水に含まれる水が、正浸透膜を透過して第１室の濃縮ドロー溶液としての濃縮塩水を希釈増量し、この希釈増量された濃縮塩水を、逆浸透膜処理手段及び蒸発装置によって濃縮する一方、淡水を生成するので、希釈水としての海水から淡水を効率的に製造することができる。
【００１５】
（３）本発明の一実施態様では、前記ドロー溶液が、食塩水である。
【００１６】
この実施態様によると、蒸発装置、正浸透膜処理手段、及び、逆浸透膜処理手段を還流する濃縮されたドロー溶液が、濃縮された食塩水であり、蒸発装置の伝熱管等の表面に、硫酸カルシウム等のスケールが析出するのを防止することができる。これによって、蒸発装置を高温で運転することが可能となり、効率よく大量の淡水を製造することができる。
【００１７】
（４）本発明の他の実施態様では、前記蒸発装置、前記正浸透膜処理手段、及び、前記逆浸透膜処理手段を流通する濃縮ドロー溶液の流通管路には、前記濃縮ドロー溶液の一部を排出する排出管路が連結される一方、前記流通管路へドロー溶液を補給する補給管路が連結される。
【００１８】
この実施態様によると、蒸発装置、正浸透膜処理手段、及び、逆浸透膜処理手段を循環する濃縮ドロー溶液に、例えば正浸透膜処理手段の正浸透膜を透過した不要物質が混入しても、排出管路を介して濃縮ドロー溶液の一部を廃棄する一方、補給管路を介してドロー溶液を補給することができるので、不要物質の濃度が高まるのを防止することができる。
【００１９】
（５）本発明の好ましい実施態様では、前記補給管路を介して食塩水が、前記流通管路へ補給される。
【００２０】
この実施態様によると、蒸発装置、正浸透膜処理手段、及び、逆浸透膜処理手段を循環する塩化ナトリウムを含む濃縮ドロー溶液の一部を廃棄する一方、硫酸カルシウム等のスケール成分を含まない食塩水を補給するので、蒸発装置の伝熱管等の表面に、スケールが析出するのを防止することができる。
【００２１】
（６）本発明の他の実施態様では、前記補給管路を介してナノ濾過膜処理手段によって、スケール成分が除去された海水が、前記流通管路へ補給される。
【００２２】
この実施態様によると、ナノ濾過膜処理手段によって、海水に含まれるスケール成分を除去して流通管路に補給するので、食塩水を調製して補給する必要がない。
【００２３】
（７）本発明の更に他の実施態様では、前記蒸発装置の駆動蒸気として、発電設備で生成される蒸気を導入する。
【００２４】
この実施態様によると、発電設備でタービンを回転させるために生成される蒸気を、蒸発装置の駆動蒸気として利用することができる。
【００２５】
（８）本発明の他の実施態様では、前記発電設備が、太陽熱発電設備であって、前記蒸発装置の駆動蒸気として、太陽熱発電設備の蒸気タービンから排出される蒸気を導入する。
【００２６】
この実施態様によると、太陽熱発電設備の蒸気タービンを回転させるために使用され、前記蒸気タービンから排出される蒸気を、蒸発装置の駆動蒸気として利用するので、太陽熱発電設備と造水装置とからなるシステムのエネルギー効率を高めることができる。
【００２７】
（９）本発明の造水方法は、蒸発装置で被処理溶液であるドロー溶液を蒸発濃縮して濃縮ドロー溶液を生成する濃縮ドロー溶液生成ステップと、
前記蒸発濃縮によって発生した水蒸気を凝縮することにより凝縮水を生成する凝縮水生成ステップと、
前記蒸発装置で生成された濃縮ドロー溶液を、正浸透膜を透過した透過水によって希釈する希釈ステップと、
希釈された濃縮ドロー溶液を、逆浸透膜によって透過水と濃縮ドロー溶液とに分離する分離ステップと、
前記逆浸透膜によって分離された濃縮ドロー溶液を、前記蒸発装置に前記被処理溶液として還流させる還流ステップとを備える。
【００２８】
本発明によると、蒸発装置で被処理溶液であるドロー溶液を蒸発濃縮して濃縮ドロー溶液及び凝縮水を生成し、正浸透膜によって濃縮ドロー溶液を希釈した後、逆浸透膜によって濃縮ドロー溶液を分離し、逆浸透膜によって濃縮された濃縮ドロー溶液を、蒸発装置に被処理溶液として還流して繰返し利用するので、蒸発装置や逆浸透膜処理手段で生成された濃縮ドロー溶液を、外部、例えば海に放流して廃棄することなく、凝縮水生成ステップ及び分離ステップで飲料用等の淡水を製造することが可能になる。
【００２９】
しかも、蒸発装置では、逆浸透膜で濃縮された濃縮ドロー溶液を蒸発濃縮するので、正浸透膜で希釈された濃縮ドロー溶液を蒸発濃縮するのに比べて、蒸発装置での消費エネルギーを低減することができ、造水効率を高めることができる。
【発明の効果】
【００３０】
このように本発明によれば、蒸発装置や逆浸透膜処理手段において生成される高濃度の濃縮ドロー溶液を外部に排出することなく飲料用等の淡水を生成することができると共に、正浸透膜処理手段で希釈された濃縮ドロー溶液を、そのまま蒸発装置で蒸発濃縮するのではなく、逆浸透膜処理手段によって、高濃度に濃縮した後に、蒸発装置で蒸発濃縮するので、蒸発装置で消費する蒸気量を大幅に低減することが可能となり、逆浸透膜処理手段による電力消費が生じるものの、全体としてのエネルギー消費を低減して、造水効率を高めることができる。
【図面の簡単な説明】
【００３１】
【図１】図１は、本発明の一実施形態の造水装置の概略構成図である。
【図２】図２は、従来例の設計例を説明するための概略構成図である。
【図３】図３は、実施形態の設計例を説明するための概略構成図である。
【図４】図４は、本発明の他の実施形態の造水装置の概略構成図である。
【図５】図５は、本発明の更に他の実施形態の造水装置の概略構成図である。
【図６】図６は、本発明の他の実施形態の造水装置の概略構成図である。
【発明を実施するための形態】
【００３２】
以下、図面によって本発明の実施形態について詳細に説明する。
【００３３】
(実施形態１)
図１は、本発明の一実施形態に係る造水装置１の概略構成図である。
【００３４】
この実施形態の造水装置１は、逆浸透膜処理手段としての逆浸透膜（Reverse Osmosis Membrane：ＲＯ膜）装置４からの濃縮されたドロー溶液（駆動溶液：draw solution）としての濃縮塩水を蒸発濃縮して淡水（凝縮水）及び濃縮塩水を生成する蒸発装置２と、この蒸発装置２からの濃縮塩水を希釈する正浸透膜処理手段としての正浸透膜（forward osmosis Membrane：ＦＯ膜）装置３と、この正浸透膜装置３で希釈化された濃縮塩水を、淡水と濃縮塩水とに分離する前記逆浸透膜装置４とを備えている。
【００３５】
この実施形態の蒸発装置２は、多重効用の蒸発装置であり、複数の蒸発缶を直列的に並設し、例えばボイラ等からの駆動蒸気が、蒸気導入管路３１を介して導入される初段の蒸発缶で、逆浸透膜装置４からの被処理溶液である濃縮塩水を加熱し、発生した蒸気を次段の蒸発缶の加熱蒸気として使用し、これを順次繰り返して濃縮塩水を加熱蒸発させるものであり、各蒸発缶は、加熱された濃縮塩水が蒸発するように減圧されている。
【００３６】
各蒸発缶には、加熱蒸気が導入される複数の水平伝熱管が配置され、濃縮塩水を、上方の散布ノズルから前記水平伝熱管に散布し、一部が蒸発して蒸気となって次段の蒸発缶の水平伝熱管に供給される一方、残部の濃縮塩水が下方に貯留され、次段の蒸発缶の散布ノズルに供給される。
【００３７】
蒸発装置２の最終段の蒸発缶からの蒸気を、凝縮部で冷却して淡水を生成する一方、最終段の蒸発缶の下部に貯留される濃縮塩水が、正浸透膜装置３へ供給される。また、最終段の蒸発缶の凝縮水は、凝縮水排出管路３２を介して排出される。
【００３８】
この実施形態では、蒸発装置２には、海水３０が、ポンプ５によって、海水供給管路６を介して、凝縮部の冷却水として導入される。
【００３９】
蒸発装置２の凝縮部で蒸気との熱交換によって加熱された海水は、海水移送管路７，８を介して正浸透膜装置３に移送される。海水移送管路７は、前記海水移送管路８と分岐して海水排出管路２５となり、正浸透膜装置３から海水排出管路９，１０を介して排出される海水と混合されて海へ戻される。
【００４０】
正浸透膜装置３は、プレート型の正浸透膜３ａによって内部空間が仕切られており、一方の空間が第１室３ｂを構成し、他方の空間が第２室３ｃを構成している。
【００４１】
第１室３ｂには、蒸発装置２において生成される濃縮塩水が、ポンプ１１によって塩水供給管路１２を介して供給され、第２室３ｃには、第１室３ｂに導かれる濃縮塩水よりも塩分濃度（塩化ナトリウム濃度）が低く、浸透圧が低い海水が、上記のように蒸発装置２から海水移送管路７，８を介して供給される。
【００４２】
正浸透膜３ａは、水を透過させる性質を有する膜であり、セルロース膜やポリアミド膜などの高分子膜を例示することができる。このような構成により、第２室３ｃに導かれた海水中の水分が、第１室３ｂ内の濃縮塩水が有する正浸透圧エネルギーによって吸引されて正浸透膜３ａを透過して第１室３ｂに流入し、濃縮塩水の水量を増加させてその塩分濃度を低下させる。
【００４３】
この実施形態では、蒸発装置２の凝縮部で蒸気との熱交換によって加熱された海水を、正浸透膜装置３の第２室３ｃに供給するので、温度上昇によって海水の粘度が低下し、透過速度が上昇するので、正浸透膜装置３の効率が向上する。なお、本発明の他の実施形態として、正浸透膜装置３の第２室３ｃには、海水３０を、蒸発装置２の凝縮部の冷却用の海水とは別経路で、直接供給できるようにしてもよい。
【００４４】
逆浸透膜装置４には、正浸透膜装置３で希釈されて塩分濃度が低下した濃縮塩水が、ポンプ１３によって塩水供給管路１４を介して導入され、逆浸透膜装置４の逆浸透膜を透過して淡水化されて取出される一方、逆浸透膜装置４の逆浸透膜を透過せず、濃縮された濃縮塩水は、塩水供給管路１５を介して蒸発装置２へ被処理溶液として還流される。
【００４５】
逆浸透膜装置４へ濃縮塩水を供給する塩水供給管路１４には、濃縮塩水の一部を、逆浸透膜装置４を介することなく、蒸発装置２へ直接供給することができるように、蒸発装置２へ濃縮塩水を供給する塩水供給管路１５に連通する分岐管路３４が接続されている。この分岐管路３４には、蒸発装置２へ供給する濃縮塩水の流量を制御する流量制御弁３３が設けられている。この流量制御弁３３の開度を制御することによって、逆浸透膜装置４で製造される淡水と、蒸発装置２で製造される淡水との水量のバランスを調整することができる。例えば、この流量制御弁３３を通常は閉止状態とし、海水の塩分濃度や蒸発装置２における沸点上昇などの運転条件の変化に応じて、その開度を調整して適切な運転状態に制御することができる。
【００４６】
以上のように構成された造水装置１によって海水３０から飲料用等の淡水を製造する方法について以下説明する。予め、正浸透膜装置３の第１室３ｂに被処理溶液であるドロー溶液を収容しておき、ポンプ１３を駆動して逆浸透膜装置４に供給する一方、正浸透膜装置３の第２室３ｃには、希釈水である海水を供給する。
【００４７】
逆浸透膜装置４の逆浸透膜を透過せず、濃縮された濃縮塩水を蒸発装置２に供給する一方、例えば、ボイラ等により生成された駆動蒸気を蒸発装置２に供給する。
【００４８】
正浸透膜装置３の第１室３ｂに予め収容する被処理溶液であるドロー溶液として、この実施形態では、食塩水（塩化ナトリウム水溶液）を採用する。この食塩水の塩分濃度（塩化ナトリウム濃度）は、正浸透膜装置３の第２室３ｃに供給される海水の塩分濃度により適宜変更されるが、例えば、蒸発装置２において蒸発濃縮され、正浸透膜装置３の第１室３ｂに導かれる濃縮塩水の塩分濃度が、例えば、３〜２６％（３０ｇ／Ｌ〜２６０ｇ／Ｌ）となるように設定する。
【００４９】
蒸発装置２の最終段の蒸発缶からの蒸気は、海水供給管路６を介して凝縮部に供給される冷却用の海水によって冷却されて淡水に変換され、逆浸透膜装置４からの淡水と混合されて取出される。蒸発装置２の凝縮部で蒸気との熱交換によって加熱された冷却用の海水は、希釈水として正浸透膜装置３の第２室３ｃに供給される。
【００５０】
また、蒸発装置２の最終段の蒸発缶に貯留される高濃度の濃縮塩水は、ポンプ１１によって塩水供給管路１２を介して正浸透膜装置３の第１室３ｂに供給される。正浸透膜装置３の第２室３ｃには、第１室３ｂに導かれる濃縮塩水よりも塩分濃度が低い海水が供給されているので、濃縮塩水と海水との浸透圧差により、正浸透膜３ａを介して、海水中の水のみが第１室３ｂ側に浸透する。この結果、第１室３ｂに供給された濃縮塩水は、希釈増量されて、その塩分濃度が低下する。
【００５１】
一方、第２室３ｃに供給された海水は、当該海水中の一部の水が正浸透膜３ａを介して第１室３ｂ側に透過された後、海水排出管路９，１０を介して海に排出される。なお、排出される海水は、塩分濃度が高められた状態になっているが、正浸透膜装置３の第２室３ｃを通過する海水の流量を適宜調整することにより、海水が放流される海域の生態系に悪影響を与えない範囲となるように、放流される海水の塩分濃度を設定する。第２室３ｃを通過する海水の流量は、例えば、海水の１０％〜３０％の水分が、正浸透膜３ａを介して第１室３ｂに透過されるように設定することが好ましい。
【００５２】
希釈増量されて塩分濃度が低下した濃縮塩水は、逆浸透膜装置４の逆浸透膜を透過した淡水と、逆浸透膜を透過せず、濃縮された濃縮塩水とに分離され、濃縮塩水は、被処理溶液として、蒸発装置２の初段の蒸発缶における散布ノズルに還流され、再び蒸発装置２において蒸発濃縮されて飲料用等の淡水が製造される。
【００５３】
上述のように、本実施形態に係る造水装置１によれば、蒸発装置２で濃縮された濃縮塩水を正浸透膜装置３において希釈増量した後、逆浸透膜装置４によって濃縮し、蒸発装置２へ被処理溶液として還流して繰り返し再利用できるように構成されているので、蒸発装置２や逆浸透膜装置４において生成された濃縮塩水を外部に排出することなく（例えば、海に放流して廃棄することなく）、飲料用等の淡水を製造することが可能になる。
【００５４】
しかも、蒸発装置２では、逆浸透膜装置４によって、濃縮された濃縮塩水を蒸発濃縮するので、正浸透膜装置３で希釈された濃縮塩水を、そのまま蒸発濃縮するのに比べて、蒸発装置２で消費する蒸気量を大幅に低減することが可能となり、逆浸透膜装置４のポンプ１３等による電力消費が生じるものの、全体としてのエネルギー消費を低減することができ、造水効率を高めることができる。
【００５５】
また、正浸透膜装置３においては、海水中の水のみを正浸透膜３ａを介して、蒸発装置２等を循環する濃縮塩水に移動させており、海水に含まれるカルシウムイオンＣａ2+や硫酸イオンＳＯ42-のようなスケール成分が、蒸発装置２の濃縮塩水中に移動することがない。つまり、蒸発装置２、正浸透膜装置３及び逆浸透膜装置４を循環するドロー溶液が、食塩水であることを維持することができる。その結果、蒸発装置２の各蒸発缶の伝熱管の表面等に硫酸カルシウム等のスケールが析出することを確実に防止できるので、熱交換効率が低下することがなく、海水から淡水を効率よく製造することが可能になる。また、スケールの析出を防止できるので、蒸発装置２に供給される駆動蒸気の温度をより一層高めて、各蒸発缶を更に高温の作動温度条件下で駆動することが可能になり、効率よく大量の淡水を製造することができる。
【００５６】
また、蒸発缶の伝熱管の表面等にスケールが析出することを確実に防止できる結果、海水からスケール成分を予め除去するためのナノ濾過膜装置や、スケール析出抑制のための薬品添加装置、脱炭酸塔設備等のスケール析出防止対策装置を設ける必要がなく、造水装置１のコンパクト化・低コスト化を図ることができる。更に、酸添加も不要になるので、蒸発缶における腐食を防止することもできる。
【００５７】
次に、従来例と本実施形態との省エネルギー効果の比較を設計値に基づいて、説明する。
【００５８】
図２は、従来例の概略構成図であり、上記特許文献１に開示されているように、蒸発装置２と正浸透膜装置（半透膜透過器）３とを備えている。
【００５９】
蒸発装置２は、正浸透膜装置３からの食塩水を蒸発濃縮させて正浸透膜装置３へ供給する一方、発生した水蒸気を凝縮させることによって淡水を製造する。この蒸発装置２には、水蒸気を凝縮させるための冷却水として、海水が導入される。
【００６０】
正浸透膜装置３は、蒸発装置２からの濃縮塩水を、正浸透膜を透過する海水中の水によって希釈し、塩分濃度を低下させて蒸発装置２へ供給する。正浸透膜装置３には、海水を、蒸発装置２で加熱することなく、直接供給する。
【００６１】
かかる従来例では、正浸透膜装置３及び蒸発装置２を循環する被処理溶液には、海水に含まれるカルシウムイオンＣａ2+や硫酸イオンＳＯ42-のようなスケール成分が混入しないので、蒸発装置２の伝熱管の表面等に硫酸カルシウム等のスケールが析出するのを防止できる。これによって、蒸発装置２に供給される駆動蒸気の温度を高めて、高温の作動温度条件下で駆動することが可能になり、ＧＯＲを高めることができ、この例では、ＧＯＲ＝２０としている。
【００６２】
この場合、蒸発装置２から１００００ｍ3／日の淡水を製造するためには、２０．８ｔ／ｈの蒸気が必要になる。また、取水する海水量は、蒸発装置２の冷却水も含めて６１０００ｍ3／日が必要になる。
【００６３】
図３は、実施形態に対応する概略構成図であり、蒸発装置２と正浸透膜装置３と逆浸透膜装置４を備えている。
【００６４】
蒸発装置２は、逆浸透膜装置４からの食塩水を蒸発濃縮させて正浸透膜装置３へ供給する一方、発生した水蒸気を凝縮させることによって淡水を製造する。この蒸発装置２には、水蒸気を凝縮させるための冷却水として、海水が導入される。
【００６５】
正浸透膜装置３は、蒸発装置２からの濃縮塩水を、正浸透膜を透過する海水中の水によって希釈し、塩分濃度を低下させて逆浸透膜装置４へ供給する。正浸透膜装置３には、海水を、蒸発装置２で加熱することなく、直接供給する。
【００６６】
逆浸透膜装置４では、正浸透膜装置３から供給される塩分濃度が低下した濃縮塩水を、逆浸透膜を透過させることによって、淡水を製造する一方、逆浸透膜を透過せず、濃縮された濃縮塩水が、蒸発装置２へ供給される。
【００６７】
この実施形態でも、従来例と同様に、正浸透膜装置３、逆浸透膜装置４及び蒸発装置２を循環する濃縮塩水には、海水に含まれるカルシウムイオンＣａ2+や硫酸イオンＳＯ42-のようなスケール成分が混入しないので、蒸発装置２では、高温の作動温度条件下で駆動することが可能になり、ＧＯＲ＝２０としている。
【００６８】
逆浸透膜装置４で生産される淡水のエネルギーコストは、一般に、約３ｋＷ／ｍ3程度であり、蒸気のエネルギーコストである約３８ｋＷ程度に比べて大幅に低く、この設計例では、淡水の生産量１００００ｍ3／日の半量である５０００ｍ3／日を逆浸透膜装置４で生産し、残りの半量を蒸発装置２で生産する。
【００６９】
このため、蒸発装置２で必要とされる蒸気量は、１０．４ｔ／ｈとなり、上記従来例の蒸気量２０．８ｔ／ｈに比べて、１／２に低減することができる。これに伴って、蒸発装置２で冷却水として使用される海水量も少なくなり、取水する海水量は、４９０００ｍ3／日となり、図２の従来例の取得海水量６１０００ｍ3／日に比べて、約２０％低減することができる。
【００７０】
以上のように、従来例に比べて、蒸発装置２で使用する蒸気量を半減させることができ、逆浸透膜装置４でエネルギーが必要となるものの、そのエネルギーコストは、約３ｋＷ／ｍ3と低いので、全体としてエネルギー消費を低減することが可能となる。
【００７１】
更に、取得する海水量、排出する海水量も低減することが可能となり、環境負荷も低減することができる。
【００７２】
上記の設計例では、逆浸透膜装置４で生産する淡水と、蒸発装置２で生産する淡水の水量を同じとしたけれども、この水量の割合は、任意であり、逆浸透膜装置４で生産する淡水の水量を、蒸発装置２で生産する淡水の水量よりも多くしてもよいし、少なくしてもよい。
【００７３】
(実施形態２)
図４は、本発明の他の実施形態の概略構成図であり、図１に対応する部分には、同一の参照符号を付す。
【００７４】
この実施形態の造水装置１ａでは、蒸発装置２、正浸透膜装置３及び逆浸透膜装置４を循環する濃縮塩水の一部を、必要に応じて捨てる(ブローダウン）ために、蒸発装置２と正浸透膜装置３との間の流通管路である塩水供給管路１２には、塩水排出管路１６が連結されている。
【００７５】
また、捨てた濃縮塩水を補給するために、食塩水タンク１７を設けており、この食塩水タンク１７で水に塩化ナトリウムを投入して攪拌装置１８で攪拌して食塩水を調製する。この食塩水タンク１７の食塩水を、ポンプ１９によって、正浸透膜装置３と逆浸透膜装置４との間の流通管路である塩水供給管路１４に補給するために、塩水供給管路１４には、塩水補給管路２６が連結されている。
【００７６】
この実施形態によれば、正浸透膜装置３において、海水に含まれる水以外の不要物質の微少量が、正浸透膜３ａを透過して濃縮塩水に混入しても、必要に応じて、塩水排出管路１６を介して濃縮塩水の一部を廃棄する一方、食塩水タンク１７からの食塩水を、塩水補給管路２６を介して補給するので、濃縮塩水に含まれる不要物質の濃度が高まるのを防止することができる。
【００７７】
その他の構成及び作用効果は、上述の実施形態１と同様である。
【００７８】
(実施形態３)
図５は、本発明の更に他の実施形態の概略構成図であり、図１に対応する部分には、同一の参照符号を付す。
【００７９】
上述の実施形態２では、食塩水タンク１７で食塩水を調製して、ブローダウンで捨てた濃縮塩水を補給するようにしたけれども、この実施形態では、食塩水を調製することなく、海水によって補給するようにしている。
【００８０】
すなわち、この実施形態では、取得した海水３０を供給する海水供給管路６には、分岐管路２０が連結され、この分岐供給管路２０のポンプ２１によって海水３０が供給されるナノ濾過膜処理手段としてのナノ濾過膜（Nanofiltration Membrane）装置２２を備えている。このナノ濾過膜装置２２のナノ濾過膜（ＮＦ膜）を透過したスケール成分等が除去された海水を、正浸透膜装置３と逆浸透膜装置４との間の流通管路である塩水供給管路１４に塩水補給管路２７を介して補給し、ナノ濾過膜を透過しなかった海水は、海水排出管路２３を介して海へ戻される。
【００８１】
この実施形態によれば、食塩水を調製する必要もなく、また、ナノ濾過膜装置２２によって、カルシウムイオンＣａ2+や硫酸イオンＳＯ42-のようなスケール成分を除去して補給するので、蒸発装置２の各蒸発缶の伝熱管の表面等に硫酸カルシウム等のスケールが析出することを確実に防止できる
なお、蒸発装置２においてスケールの析出を防止できる範囲で、ナノ濾過膜装置２２を介することなく、海水を直接取り込むようにしてもよい。
【００８２】
その他の構成及び作用効果は、上述の実施形態１と同様である。
【００８３】
（実施形態４）
図６は、本発明の他の実施形態の概略構成図であり、図１に対応する部分には、同一の参照符号を付す。
【００８４】
この実施形態の造水装置１は、太陽熱発電設備３５の排熱を、蒸発装置２の熱源に用いると共に、太陽熱発電設備３５の発電電力を、逆浸透膜装置４のポンプ１３等の駆動電力として用いるものである。
【００８５】
太陽熱発電設備３５は、集熱装置３６と、集熱装置３６によって加熱された溶融塩等の熱媒体が循環する循環管路３７と、この循環管路３７に設けられて、熱媒体の熱によって給水を加熱して蒸気を発生する蒸気発生器３８と、この蒸気発生器３８で発生した蒸気によって駆動される蒸気タービン３９と、蒸気タービン３９に連結された発電機４０を備えている。
【００８６】
集熱装置３６は、太陽熱を集熱して熱媒体を加熱するものであり、例えば、曲面鏡（集熱鏡）を用いて、鏡の前に設置されたパイプに太陽光を集中させ、パイプ内を流れる熱媒体を加熱するトラフ式の集熱装置などを使用することができる。
【００８７】
集熱装置３６と蒸気発生器３８との間の循環管路３７には、循環ポンプ４１が設けられると共に、蓄熱用の高温タンク４２及び低温タンク４３が、それぞれ連結される。高温タンク４２には、昼間に太陽熱によって加熱された高温の熱媒体を貯留して蓄熱し、夜間には、貯留した熱媒体によって蒸気発生器３８で蒸気を発生させ、温度が低下した熱媒体を低温タンク４３に貯留する。
【００８８】
蒸気発生器３８には、循環管路３７の熱媒体が循環する一方、造水装置１の蒸発装置２からの凝縮水が、給水ポンプ４４によって導入される。この蒸気発生器３８では、熱媒体と凝縮水との熱交換によって、凝縮水が蒸気となる。発生した蒸気は、蒸気タービン３９に導入され、蒸気タービン３９が駆動される。
【００８９】
この実施形態では、蒸気タービン３９から排出された蒸気を、造水装置１の蒸発装置２の駆動蒸気として、エジェクター４５を介して供給する。このエジェクター４５には、蒸発装置２の最終段の蒸発缶からの蒸気の一部が吸引される。蒸発装置２の最終段の蒸発缶からの凝縮水が、上記の給水ポンプ４４によって太陽熱発電設備３５の蒸発発生器３８に供給される。
【００９０】
蒸気タービン３９に連結された発電機４０から発電出力は、造水装置１の駆動電力、例えば、逆浸透膜装置４のポンプ１３等の駆動電力として利用される。
【００９１】
このように太陽熱発電設備３５の蒸気タービン３９で使用された蒸気を、造水装置１の蒸発装置２の熱源として利用するので、より効率的な造水が可能となる。
【００９２】
しかも、太陽熱発電設備３５で発電した電力を、造水装置１の逆浸透膜装置４のポンプ１３等の駆動電力として利用するので、一層効率的な造水が可能となる。
【００９３】
(その他の実施形態)
上記実施形態では、被処理溶液であるドロー溶液として、塩化ナトリウムを含む溶液を用いたけれども、これに限らず、硝酸カリウム、塩化カルシウム、あるいは、炭酸水素ナトリウムと水酸化アンモニウムの混合物やその他の溶液を用いてもよい。
【００９４】
上記実施形態においては、プレート型の正浸透膜３ａを用いた正浸透膜装置３について説明したが、プレート型に限らず、例えば、中空糸型、スパイラル型又は管状型等種々の正浸透膜を用いた正浸透膜装置であってもよい。
【００９５】
上記実施形態では、正浸透膜装置３の第１室３ｂに予め食塩水を収容して造水装置１の駆動を開始する構成について説明したが、食塩水の代わりに所定の加熱運転温度と所定の塩分濃度でスケールが析出しないように予めスケール成分を除去した海水を供給して造水装置１の駆動を開始してもよい。
【００９６】
また、上記実施形態においては、蒸発装置２として多重効用型の蒸発装置について説明したが、例えば、単一の蒸発缶を備える単缶型の蒸発装置であってもよいし、あるいは、多段フラッシュ蒸発型の蒸発装置であってもよい。
【００９７】
上記実施形態では、太陽熱発電設備に適用して説明したけれども、発電設備は、太陽熱発電設備に限らず、太陽光発電設備、火力発電設備あるいは原子力発電設備やその他の発電設備であってもよい。
【符号の説明】
【００９８】
１，１ａ，１ｂ  造水装置
２              蒸発装置
３              正浸透膜装置
３ａ            正浸透膜
３ｂ            第１室
３ｃ            第２室
４              逆浸透膜装置
２２            ナノ濾過膜装置
３５            太陽熱発電設備
３９            蒸気タービン
４０            発電機
【図１】
2015150553.tif 000003
【図２】
2015150553.tif 000004
【図３】
2015150553.tif 000005
【図４】
2015150553.tif 000006
【図５】
2015150553.tif 000007
【図６】
2015150553.tif 000008